(57)【要約】  パッシブＲＦＩＤカード２０２用の回路は、ＲＦ信号を受信するためのアンテナ２０８と、ＲＦＩＤカード２０２の出力を制御するためのＲＦＩＤチップ２１０と、ＲＦＩＤチップ２１０とは別体であり、指紋センサー２３０を有するバイオメトリック処理デバイス２２０とを備えている。アンテナ２０８は第一の対の端子２２２、２２４および第二の対の端子２２２、２３３を有している。ＲＦ信号がアンテナ２０８により受信されると、第一の対の端子２２２、２２４はアンテナにより生成される全電圧を受け取り、第二の対の端子２２２，２３３は第一の対の端子により生成される電圧よりも低い電圧を受け取る。第一の動作モードでは、バイオメトリックセンサー２３０は指紋データを読み取り、それを前もって格納されている指紋データと比較し、第二の動作モードでは、ＲＦＩＤチップ２１０がＲＦＩＤスキャナ２０４と通信する。上述の回路が第一の動作モードで動作している時には第一の対の端子２２２、２２４により生成される電圧により電力がバイオメトリック処理デバイス２２０に供給されるよう、また、上述の回路が第二の動作モードで動作している時には第二の対の端子２２２、２３３により生成される電圧により電力がバイオメトリック処理デバイス２２０に供給されるようスイッチ２３４が制御される。
2017532706.tif 000002
【特許請求の範囲】
【請求項１】
パッシブＲＦＩＤデバイス用またはセミパッシブＲＦＩＤデバイス用の回路であって、
ＲＦ信号を受信するためのアンテナであって、該アンテナが第一の対の端子および第二の対の端子を有し、前記ＲＦ信号が前記アンテナにより受信される時に前記第二の対の端子により生成される電圧が前記第一の対の端子により生成される電圧よりも低くなるように、前記第二の対の端子のうちの少なくとも１つの端子が前記第一の対の端子間で前記アンテナに接続されている、アンテナと、
前記ＲＦＩＤデバイスの出力を制御するための第一の処理デバイスであって、該第一の処理デバイスが前記アンテナにより生成される電圧により電力を供給される、第一の処理デバイスと、
前記第一の処理デバイスとは別体の第二の処理デバイスとを備え、
前記回路が第一の動作モードおよび第二の動作モードを有し、前記第二の処理デバイスが前記第二の動作モードの間よりも前記第一の動作モードの間でより多くの電力を必要とし、
前記回路が第一の動作モードで動作している時には前記第一の対の端子により生成される電圧を用いて前記第二の処理デバイスに電力を供給し、前記回路が第二の動作モードで動作している時には前記第二の対の端子により生成される電圧を用いて前記第二の処理デバイスに電力を供給するように前記回路が構成されてなる、回路。
【請求項２】
前記第二の動作モードでは、前記第一の処理デバイスがＲＦＩＤスキャナと通信するように構成されてなる、請求項１に記載の回路。
【請求項３】
前記第二の処理デバイスがバイオメトリックセンサー、たとえば指紋スキャナを含んでなる、請求項１または２に記載の回路。
【請求項４】
前記第一の動作モードでは、前記バイオメトリックセンサーがバイオメトリックデータを読み込み、前記第二の処理デバイスが読み込まれた前記バイオメトリックデータを前もって格納されているバイオメトリックデータと比較するように構成されてなる、請求項３に記載の回路。
【請求項５】
第一の状態および第二の状態を有するスイッチを備えており、
前記スイッチが第一の状態にある時には前記第二の処理デバイスが前記第一の対の端子により生成される電圧により電力を供給され、
前記スイッチが前記第二の状態にある時には前記第二の処理デバイスが前記第二の対の端子により生成される電圧により電力を供給されるように構成されてなる、請求項１乃至４のうちのいずれか一項に記載の回路。
【請求項６】
前記回路が前記第一の動作モードで動作している時には第一の状態になり、前記回路が前記第二の動作モードで動作している時には第二の状態になるよう前記スイッチを制御するように前記回路が構成されてなる、請求項５に記載の回路。
【請求項７】
前記第一の対の端子のうちの一方の端子が前記第二の対の端子のうちの一方の端子でもあり、前記スイッチが、前記第一の対の端子のうちの他方の端子と前記第二の対の端子の他方の端子とに交互に接続可能となるように構成されてなる、請求項６に記載の回路。
【請求項８】
前記第一の対の端子の電圧が前記アンテナの第一の長さにより生成される電圧となるように前記第一の対の端子が前記アンテナに接続され、前記第二の対の端子の電圧が前記第一の長さよりも短い前記アンテナの第二の長さにより生成される電圧となるように前記第二の対の端子が前記アンテナに接続されてなる、請求項１乃至７のうちのいずれか一項に記載の回路。
【請求項９】
請求項１乃至８のうちのいずれか一項に記載の回路を備えてなるパッシブＲＦＩＤデバイスまたはセミパッシブＲＦＩＤデバイス。
【請求項１０】
請求項１乃至９のうちのいずれか一項に記載の回路またはＲＦＩＤデバイスであって、前記ＲＦＩＤデバイスが非接触式ＩＣカードである、回路またはＲＦＩＤデバイス。
【請求項１１】
ＲＦＩＤデバイスの出力を制御する第一の処理デバイスおよび該第一の処理デバイスとは別体の第二の処理デバイスを備えるパッシブＲＦＩＤデバイス用またはセミパッシブＲＦＩＤデバイス用の回路を制御する方法であって、
前記ＲＦＩＤデバイスのアンテナを介してＲＦ信号を受信することと、
前記アンテナにより生成される電圧を用いて前記第一の処理デバイスに電力を供給することと、
第一の動作モードで、前記アンテナの前記第一の対の端子により生成される電圧を用いて前記第二の処理デバイスに電力を供給することと、
第二の動作モードで、前記アンテナの第二の対の端子により生成される電圧を用いて前記第二の処理デバイスに電力を供給することと、を含み、
前記ＲＦ信号が前記アンテナにより受信された時に前記第二の対の端子により生成される電圧が前記第一の対の端子により生成される電圧より低くなるように、前記第二の端子のうちの少なくとも一方の端子が前記第一の対の端子の間で前記アンテナに接続される、方法。
【請求項１２】
前記第二の動作モードで、前記第一の処理デバイスを用いてＲＦＩＤ読取装置と通信することをさらに含む、請求項１１に記載の方法。
【請求項１３】
前記第二の処理デバイスがバイオメトリックセンサー、たとえば指紋スキャナを有しており、前記方法が、前記第一の動作モードで、前記バイオメトリックセンサーを用いてバイオメトリックデータを読み取ることと、前記第二の処理デバイスを用いて読み取られた前記バイオメトリックデータを前もって格納されているバイオメトリックデータと比較することとをさらに含む、請求項１２に記載の方法。
【請求項１４】
前記第一の動作モードから前記第二の動作モードへ移行することを含み、該移行することが、第一の状態から第二の状態へ移動するようにスイッチを制御することを含み、前記第一の状態では、前記第二の処理デバイスが前記第一の対の端子により生成される電圧により電力が供給され、前記第二の状態では、前記第二の処理デバイスが前記第二の対の端子により生成される電圧により電力が供給される、請求項１１乃至１３のうちのいずれか一項に記載の方法。
【請求項１５】
前記第一の対の端子の電圧が前記アンテナの第一の長さにより生成される電圧であるように前記第一の対の端子が前記アンテナに接続され、前記第二の端子の電圧が前記第一の長さより短い前記アンテナの第二の長さにより生成される電圧であるように前記第二の対の端子が前記アンテナに接続される、請求項１１乃至１４のうちのいずれか一項に記載の方法。
【請求項１６】
前記ＲＦＩＤデバイスが非接触式ＩＣカードである、請求項１１乃至１５のうちのいずれか一項に記載の方法。
【発明の詳細な説明】
【技術分野】
【０００１】
本発明は、ＲＦＩＤデバイスの電力負荷管理に関するものであり、とくにバイオメトリックセンサーの如き電力を必要とするコンポーネントをさらに備えるパッシブＲＦＩＤデバイスの電力負荷管理に関するものである。
【背景技術】
【０００２】
図１には、典型的なパッシブＲＦＩＤデバイス２のアーキテクチャが示されている。電力が供給されるＲＦＩＤ読取装置４がアンテナ６を通じて信号を送信するようになっている。この信号は、通常、ＮＸＰ  Ｓｅｍｉｃｏｎｄｕｃｔｏｒｓ社により製造されるＭＩＦＡＲＥＲシステムおよびＤＥＳＦｉｒｅＲシステム用の１３．５６ＭＨｚであるが、ＨＩＤ  Ｇｌｏｂａｌ  Ｃｏｒｐ社により製造される低周波ＰＲＯＸＲ製品用の１２５ｋＨｚであってもよい。またこの信号は、同調コイルとコンデンサとを有する、ＲＦＩＤデバイス２のアンテナ８により受信され、次いで、ＲＦＩＤチップ１０に送られる。受け取られた信号は、ブリッジ型整流器１２により整流され、ブリッジ型整流器１２からのＤＣ出力はチップ１０の通信を制御する制御論理１４へ送られる。
【０００３】
制御論理１４のデータ出力部は電界効果トランジスタ１６に接続され、電界効果トランジスタ１６はアンテナ８に接続されている。電界効果トランジスタ１６のオン／オフを切り換えることにより、ＲＦＩＤデバイス２により信号を送信して、その信号をＲＦＩＤ読取装置４の適切な制御回路１８により解読することができるようになっている。このタイプの信号方式は、バックスキャッタ変調として知られており、返信メッセージをＲＦＩＤ読取装置４へ送信するための電力の供給にＲＦＩＤ読取装置４それ自体が用いられることを特徴としている。
【発明の概要】
【発明が解決しようとする課題】
【０００４】
パッシブＲＦＩＤデバイスにバイオメトリックセンサー、たとえば指紋スキャナを組み入れることが提案されている。しかしながら、バイオメトリックセンサーは、所要電力が比較的高いため、注意深く電力負荷を管理することが必要となる。
【課題を解決するための手段】
【０００５】
本発明にかかるパッシブＲＦＩＤデバイス用またはセミパッシブＲＦＩＤデバイス用の回路は、第一の対の端子および第二の対の端子を有する、ＲＦ信号を受信するためのアンテナと、ＲＦＩＤデバイスの出力を制御するための第一の処理デバイスと、第一の処理デバイスとは別体の第二の処理デバイスとを備えており、第二の対の端子のうちの少なくとも１つの端子は、ＲＦ信号がアンテナにより受信される時に第二の対の端子により生成される電圧が第一の対の端子により生成される電圧よりも低くなるように、第一の対の端子の間でアンテナに接続されており、第一の処理デバイスは、アンテナにより生成される電圧により、好ましくは第一の対の端子により生成される電圧により電力が供給されるようになっており、かかる回路は、第一の動作モードおよび第二の動作モードを有し、第二の処理デバイスは第二の動作モードの間よりも第一の動作モードの間でより多くの電力を必要とし、かかる回路は、当該回路が第一の動作モードで動作している時には第一の対の端子により生成される電圧を用いて第二の処理デバイスに電力を供給し、当該回路が第二の動作モードで動作している時には第二の対の端子により生成される電圧を用いて第二の処理デバイスに電力を供給するように構成されている。
【０００６】
本明細書で用いられる場合、用語「パッシブＲＦＩＤデバイス」とは、たとえばＲＦＩＤ読取装置により生成されるＲＦ励起場から得られるエネルギのみにより電力が第一の処理デバイス（たとえば、ＲＦＩＤチップ）に供給されるようになっているＲＦＩＤデバイスのことを意味するものとして理解されるべきである。すなわち、パッシブＲＦＩＤデバイスは送信用の電力供給をＲＦＩＤ読取装置に依存している。パッシブＲＦＩＤデバイスは通常バッテリを備えていないが、かかる回路の補助コンポーネントへ電力を供給するために（しかし送信するためではない）バッテリが設けられている場合もある。このようなデバイスは「セミパッシブＲＦＩＤデバイス」と呼ばれることが多い。
【０００７】
本発明では、ＲＦＩＤ読取装置により生成されるＲＦ励起場から得られるエネルギによってのみ電力が第二の処理デバイスにも供給されるようになっている。しかしながら、これでは低いレベルのエネルギしか得られない恐れがあるため、かかる回路により取り出される（使用される）電力を注意深く管理することが重要である。励起場に対する負荷が過剰になれば、第一の処理デバイスは返信信号を送信するための電力を十分に受け取れなくなってしまう。
【０００８】
本発明は、電圧出力が異なる第一の対の端子および第二の対の端子を備えるアンテナを用いることによりこの問題を克服するものである。第二の処理デバイスが高電力動作モードで動作している時には大きな電圧を供給し、第二の処理デバイスが低電力動作モードで動作している時には小さな電圧を供給することにより、信号送信を可能にするための少なくとも最小限のレベルの電圧が第一の処理デバイス用に確保されるようになっている。
【０００９】
好ましくは、上述のように、第一の処理デバイスは第二の動作モードでたとえばバックスキャッタ変調によりＲＦＩＤスキャナと通信する。したがって、第二の動作モードでは、第一の処理デバイスが送信用の十分な電力を有するようにするため、送信されてくるＲＦ信号のうちの一部を第二の処理デバイスに渡さずに第一の処理デバイス用に確保するようになっている。
【００１０】
好ましくは、第二の処理デバイスはバイオメトリックセンサー、たとえば指紋スキャナを有する。これらのデバイスは、所要電力が比較的高く、従来技術では、第一の処理デバイスが十分な電力を受け取れない恐れがあった。
【００１１】
好ましくは、第一の動作モードで、バイオメトリックセンサーは、バイオメトリックデータを走査して読み取り、それを前もって格納されているバイオメトリックデータと比較する。この処理部分では電力需要が最も高くなるため、この期間では、得られる電圧すべてを第二の処理デバイスが利用できるようになっていることが好ましい。
【００１２】
実施形態によっては、かかる回路は、第一の状態および第二の状態を有するスイッチ（たとえば、トランジスタ）を備え、 スイッチが第一の状態にある時には第一の対の端子により生成される電圧により電力が第二の処理デバイスに供給され、スイッチが第二の状態にある時には第二の対の端子により生成される電圧により電力が第二の処理デバイスに供給されるようになっている場合もある。
【００１３】
スイッチは、かかる回路が第一の動作モードで動作している時には第一の状態になるよう、また、かかる回路が第二の動作モードで動作している時には第二の状態になるよう制御されるようになっていてもよい。
【００１４】
第一の対の端子の電圧がアンテナの第一の長さにより生成される電圧になるように第一の対の端子をアンテナに接続し、第二の対の端子の電圧が第一の長さよりも短いアンテナの第二の長さにより生成される電圧になるように第二の対の端子をアンテナに接続することにより、第一の対の端子よりも第二の対の端子の方に低い電圧が生成されるようになっていてもよい。好ましくは、これらのアンテナの２つの長さはオーバーラップする。すなわち、アンテナの一部分により生成される電圧が第一の対の端子および第二の対の端子の両方に供給されるようになっている。
【００１５】
実施形態によっては、第一の対の端子の一方の端子が第二の対の一方の端子でもある場合もある。したがって、スイッチが用いられる場合、当該スイッチは第一の対の端子の他方の端子と第二の対の他方の端子とに接続されるようになっていてもよい。したがって、単一のスイッチを用いて第二の処理デバイスへの電力供給を第一の対の端子と第二の対の端子との間で切り替えることができる。
【００１６】
第一の対の端子をアンテナの中間に配置することが可能であるものの、第一の対の端子をアンテナの両端に配置することが好ましい。したがって、好ましくは、第一の対の端子により生成される電圧はアンテナにより生成される電圧の実質的に全電圧である。
【００１７】
好ましい実施形態では、ＲＦＩＤデバイスは非接触式ＩＣカードである。
【００１８】
したがって、好ましい実施形態では、パッシブＲＦＩＤカード用の回路は、第一の対の端子および第二の対の端子を有する、ＲＦ信号を受信するためのアンテナと、第一の対の端部により生成される電圧によってのみ電力が供給される、ＲＦＩＤカードの出力を制御するためのＲＦＩＤチップと、ＲＦＩＤチップとは別体である、指紋センサーを有するバイオメトリック処理デバイスと、第一の状態および第二の状態を有するスイッチとを備えており、第一の対の端子はアンテナにより生成される実質的に全電圧を受け取るようになっており、第二の対の端子のうちの少なくとも１つの端子は、第二の対の端子により生成される電圧が第一の対の端子により生成される電圧よりも低くなるように第一の対の端子間でアンテナに接続されており、バイオメトリック処理デバイスは、スイッチが第一の状態にある時には第一の対の端子により生成される電圧により電力が供給され、 スイッチが第二の状態にある時には第二の対の端子により生成される電圧により電力が供給されるようになっており、かかる回路は、第一の動作モードおよび第二の動作モードを有し、第一の動作モードでは、バイオメトリックセンサーが指紋データを走査して読み取ってそれを前もって格納されている指紋データと比較し、第二の動作モードでは、ＲＦＩＤチップがＲＦＩＤスキャナと通信するようになっており、かかる回路は、当該回路が第一の動作モードで動作している時には第一の状態になるように、また、当該回路が第二の動作モード動作している時には第二の状態になるようスイッチが制御されるように構成されている。
【００１９】
好ましい態様では、本発明は、上述の回路を備え、好ましい構成のうちのいずれかまたは全部を任意選択的に備えるパッシブＲＦＩＤデバイスまたはセミパッシブＲＦＩＤデバイスをさらに提供している。
【００２０】
他の態様によれば、本発明は以下の方法も提供することが分かる。ＲＦＩＤデバイスの出力を制御する第一の処理デバイスおよび当該第一の処理デバイスとは別体の第二の処理デバイスを備えるパッシブＲＦＩＤデバイス用またはセミパッシブＲＦＩＤデバイス用の回路を制御するための方法は、ＲＦＩＤデバイスのアンテナを介してＲＦ信号を受信することと、アンテナの第一の対の端子により生成される電圧を用いて第一の処理デバイスに電力を供給することと、第一の動作モードで、アンテナの第一の対の端子により生成される電圧を用いて第二の処理デバイスに電力を供給することと、第二の動作モードで、アンテナの第二の対の端子により生成される電圧を用いて第二の処理デバイスに電力を供給することと、を含み、第二の端子のうちの少なくとも１つの端子は、ＲＦ信号がアンテナにより受信される時に第二の対の端子により生成される電圧が第一の対の端子により生成される電圧よりも低くなるように第一の対の端子間でアンテナに接続されている。
【００２１】
本発明の方法は、第二の処理デバイスが第一の（たとえば高電力）動作モードで動作している時にはアンテナの第一の対の端子からの全電圧を用いて第二の処理デバイスに電力を供給し、第二の処理デバイスが第二の（たとえば低電力）動作モードで動作している時にはアンテナの第二の対の端子を介して全電圧の一部のみを用いていて第二の処理デバイスに電力を供給することにより上述の問題を克服するようになっている。したがって、かかる方法により、第二の処理デバイスへの電力供給に用いられていないアンテナの一部により生成される少なくとも最小レベルの電圧が信号送信を可能とするために第一の処理デバイス用に確保されるようになっている。
【００２２】
好ましくは、かかる方法は、第二の動作モードで、たとえばバックスキャタ変調により第一の処理デバイスを用いてＲＦＩＤスキャナと通信することをさらに含む。
【００２３】
好ましくは、第二の処理デバイスはバイオメトリックセンサー、たとえば指紋スキャナを有する。また好ましくは、かかる方法は、第一の動作モードで、第二の処理でデバイスを用いてバイオメトリックデータを走査して読み取ることと、読み取ったバイオメトリックデータを前もって格納されているバイオメトリックデータと比較することと、をさらに含む。指紋スキャナの場合、バイオメトリックデータは指紋データであってもよい。
【００２４】
かかる方法は、第一の動作モードから第二の動作モードへ移行することと、第一の状態から第二の状態へ移動するようにスイッチ（たとえばトランジスタ）を制御することとを含み、第一の状態では、第二の処理デバイスが第一の対の端子により生成される電圧によりに電力を供給され、第一の状態では、第二の処理デバイスが第二の対の端子により生成される電圧により電力を供給される。
【００２５】
第一の対の端子より低い電圧を第二の対の端子に生成させるために、第一の対の端子の電圧がアンテナの第一の長さにより生成される電圧になるように第一の対の端子がアンテナに接続され、第二の対の端子の電圧が第一の長さより短いアンテナの第二の長さにより生成される電圧になるように第二の対の端子がアンテナに接続されるようになっている。好ましくは、アンテナの２つの長さはオーバーラップする。すなわち、アンテナの一部により生成される電圧が両方の対の端子に供給されるようになっている。
【００２６】
好ましくは、第一の対の端子により生成される電圧はアンテナの実質的に全長により生成される電圧である。
【００２７】
好ましい実施形態では、ＲＦＩＤデバイスは非接触式ＩＣカードである。
【００２８】
ＲＦＩＤデバイスは、アクセスカード、クレジットカード、デビッドカード、プリペイカード、ロイヤルティーカード（ポイントカード）、身分証明書、暗号カードなどのうちのいずれか１つであってもよい。
【００２９】
また、いうまでもなく、上述の回路の好ましい構成要素のすべてが単独でまたは組み合わせて上述の方法に適用されてもよい。その逆の場合もまた同様である。
【００３０】
以下には、本発明の好ましい実施形態が例示のみを意図して添付の図面を参照しながら詳細に説明されている。
【図面の簡単な説明】
【００３１】
【図１】従来のパッシブＲＦＩＤデバイス用の回路を示す図である。
【図２】指紋スキャナが組み込まれたパッシブＲＦＩＤデバイス用の回路を示す図である。
【図３】電力負荷管理が改良され、指紋スキャナが組み込まれたパッシブＲＦＩＤデバイス用の回路を示す図である。
【発明を実施するための形態】
【００３２】
図２には、ＲＦＩＤ読取装置１０４および図１に記載の従来のパッシブＲＦＩＤデバイス２の変形であるパッシブＲＦＩＤデバイス１０２から構成されるアーキテクチャが示されている。図２に記載のＲＦＩＤデバイス１０２は指紋認証エンジン１２０を含むように構成されている。
【００３３】
ＲＦＩＤ読取装置１０４は、従来のＲＦＩＤ読取装置であり、読取装置アンテナ６を用いてＲＦ励起場を生成するように構成されている。さらに、読取装置アンテナ６は、パッシブＲＦＩＤデバイス１０２から送信されて来るＲＦ信号を受信するようになっており、受信されたＲＦ信号はＲＦＩＤ読取装置４内の制御回路１１８により解読されるようになっている。
【００３４】
パッシブＲＦＩＤデバイス１０２は、ＲＦ（無線周波数）信号を受信するためのアンテナ１０８と、アンテナ１０８により電力が供給されるパッシブＲＦＩＤチップ１１０と、アンテナ１０８により電力が供給されるパッシブ指紋認証エンジン１２０とを備えている。
【００３５】
この構成では、アンテナ１０８は、ＲＦＩＤ読取装置１０４からＲＦ信号を受信するように同調される、インダクションコイルとコンデンサと有する同調回路である。アンテナ１０８は、ＲＦＩＤ読取装置１０４により生成される励起場にさらされると電圧が誘起されるようになっている。アンテナ１０８の両端部にはそれぞれ第一の端部出力ライン１２２と第二の端部出力ライン１２４とを有している。第一の端部出力ライン１２２と第二の端部出力ライン１２４とは１対の端子を構成している。
【００３６】
アンテナ１０８のこれらの出力ラインは指紋認証エンジン１２０に接続されて指紋認証エンジン１２０へ電力を供給するようになっている。この構成では、アンテナ１０８により受け取られるＡＣ電圧を整流するために整流器１２６が設けられている。整流後のＤＣ電圧は、平滑コンデンサを用いて平滑化され、指紋認証エンジン１２０へと供給される。
【００３７】
指紋認証エンジン１２０は処理ユニット１２８と指紋読取装置１３０とを有している。指紋認証エンジン１２０は、パッシブ型であるので、アンテナ１０８からの電圧出力のみによって電力が供給されるようになっている。
【００３８】
指紋認証エンジン１２０は指紋読取装置１３０へ提示される指または親指を走査して読み込み、読み込まれた指または親指の指紋を前もって格納されている指紋データと処理ユニット１２８を用いて比較するように構成されている。次いで、読み込まれた指紋が前もって格納されている指紋データと一致するか否かが判断される。
【００３９】
一致すると判断されると、信号をＲＦＩＤ読取装置１０４へ送信する許可がＲＦＩＤチップ１１０に与えられる。図２に記載の構成では、このことは、スイッチ１３２を閉じてＲＦＩＤチップ１１０をアンテナ１０８に接続させることにより達成されるようになっている。ＲＦＩＤチップ１１０は、従来のタイプであり、図１に記載のＲＦＩＤチップ１０と同様に動作し、トランジスタ１１６のオンおよびオフを切り換えることにより信号をバックスキャッタ変調を用いてアンテナ１０８を介して送信（ｂｒｏａｄｃａｓｔ）するようになっている。
【００４０】
この構成では、ＲＦＩＤチップ１１０および指紋認証エンジン１２０により必要とされる電力は、ＲＦＩＤ読取装置１０４により生成される励起場から得られるようになっている。これらの回路により使用される電力は注意深く管理されることが重要であり、電力が注意深く管理されなければ、通信が遮断されてしまう恐れもある。励起場に対する負荷が過剰な場合、ＲＦＩＤチップ１１０が受け取る電力信号が小さ過ぎて用いることができないような場合もある。
【００４１】
図３には、ＲＦＩＤ読取装置２０４および図２に記載のパッシブＲＦＩＤデバイス２の変形であるパッシブＲＦＩＤデバイス２０２から構成されるアーキテクチャが示されている。本発明にかかる図３に記載のＲＦＩＤデバイス２０２は、その回路内の配電をより効率的に取り扱うように構成されている。
【００４２】
図３に記載のＲＦＩＤデバイス２０２およびＲＦＩＤ読取装置２０４は、図２に記載のものと同様であり、図２に記載のコンポーネントに対応するコンポーネントは図２の参照番号に１００を足した参照番号で表されている。以下では、繰り返しを回避すべくこれらの構造の異なる部分のみが説明されている。説明がない場合には、図２に記載のコンポーネントの説明は図３に記載の対応するコンポーネントにも当てはまるものとする。
【００４３】
指紋認証エンジン２２０により使用される電力は、ＲＦＩＤデバイス２０２がサイクルのどの部分に位置するかに応じて変わる。指紋の感知・照合（第一の動作モード）の間、指紋認証エンジン２２０より使用される電力は最も大きく、ＲＦＩＤチップ２１０がＲＦＩＤ読取装置２０４に接続されて通信している間、指紋認証エンジン２２０により使用される電力は非常に小さい。
【００４４】
また、図３に記載のＲＦＩＤデバイス２０２は、アンテナ１０８の両端部の間の位置に接続される中央出力ライン２３３を有している。このようにして、第一の端部出力ライン２２２と中央出力ライン２３２とで第二の対の端子が構成されている。
【００４５】
また、ＲＦＩＤデバイス２０２の回路は、第一の状態および第二の状態を有する電力制御スイッチ２３４をさらに有している。指紋認証エンジン２２０は、電力制御スイッチが第一の状態にある時には第一の対の端子２２２、２２４により生成される電圧により電力が供給され、第二の状態にある時には第一の対の端子２２２、２３２により生成される電圧により電力が供給される。この構成では、第一の端部ライン２２２は整流器２２６に常に接続され、その一方で、電力制御スイッチ２３４の交互の切り換えにより、第一の状態（図３に図示）では第二の端部出力ライン２２４を整流器２２６に接続し、第二の状態では中央出力ライン２３２を整流器２２６に接続するようになっている。しかしながらいうまでもなく、上述の効果は、他の多くの交互に切り換えるための構成を用いて達成されてもよい。
【００４６】
ＲＦＩＤデバイス２０２の回路は、電力制御スイッチ２３４を指紋読取・照合の間第一の状態に移動させ、ＲＦＩＤチップ２１０と読取装置２０４との通信の間第二の状態に移動させるように構成される制御論理をたとえば指紋認可エンジン２２０内に備えている。
【００４７】
このように構成することにより、送信の間十分な電力をＲＦＩＤチップ２１０に確実に供給するという重要な改良が実現される。このようにして、指紋認証エンジン内のマイクロプロセッサの制御下にある電力制御スイッチ２３４が第一の位置にある時にはアンテナ２０８から電力信号のすべてが指紋認証エンジン２２０により使用され、電力制御スイッチ２３４が第二の位置にある時にはアンテナ２０８の電力信号の一部のみが指紋認証エンジン２２０により使用されるようになっている。
【図１】
2017532706.tif 000003
【図２】
2017532706.tif 000004
【図３】
2017532706.tif 000005
【国際調査報告】
2017532706.tif 000006
2017532706.tif 000007